(57)【要約】【課題】入場者に煩雑な処理を要求することなく正確な入場者情報が得られる入場者管理システムを提供する。【解決手段】入場者は受付５０で予め入場者の登録を行い、そこで入場者ごとに所定のトリガー信号に応答して固有のＩＤ番号を発信するＩＤタグ３０を受け取る。各ブースにはそれぞれ入場者管理装置１０が設けられ、入場者管理装置１０のトリガー信号発信アンテナ１２からはトリガー信号が発信されている。入場者がブースに接近すると、トリガー信号を受けてＩＤタグ３０からＩＤ番号が出力される。入場者管理装置１０はこれをＩＤ受信アンテナ１３で受けて、ブースを特定するデータと入場者の固有番号を管理コンピュータに送る。【選択図】　　　　図１
2004094891.tif 000002
【特許請求の範囲】
【請求項１】
入場者の各々に所持され、固有番号を有し、トリガー信号に応答するＩＤタグと、
複数のイベント会場の各々に設けられ、前記トリガー信号を発信するトリガー信号発信手段を有する入場者管理装置とを含み、
前記ＩＤタグおよび前記入場者管理装置は、それぞれ、前記トリガー信号に応答して前記固有番号を出力するか、または、前記トリガー信号とともに入場者管理装置の固有番号を出力し、
前記ＩＤタグが前記固有番号を出力したときは、前記入場者管理装置が前記固有番号を受信し、前記入場者管理装置が前記トリガー信号とともに自分の固有番号を出力した時は、前記ＩＤタグが前記入場者管理装置の固有番号を受信する、入場者数計測システム。
【請求項２】
入場者の各々に所持され、トリガー信号に応答して固有の識別番号を出力する固有番号出力手段と、
複数のイベント会場の各々に設けられ、
前記トリガー信号を発信するトリガー信号発信手段と、
前記トリガー信号に応答して前記固有番号出力手段が出力した固有番号を受信する固有番号受信手段と、
を含む、入場者数計測システム。
【請求項３】
前記固有番号受信手段は前記固有番号を受信した時間を測定する受信時間測定手段と、受信時間測定手段の測定した時間が所定の時間より長いか否かを判断する判断手段と、前記判断手段が所定の時間より長いと判断したとき、前記固有番号の受信を認識する固有番号受信認識手段とを含む、請求項２に記載の入場者数計測システム。
【請求項４】
前記固有番号受信手段は前記固有番号受信認識手段の認識した前記固有番号の連続受信時間を記憶する手段を含む、請求項３に記載の入場者数計測システム。
【請求項５】
前記固有番号受信手段は前記固有番号受信認識手段の認識した前記固有番号の受信回数を記憶する手段を含む、請求項３に記載の入場者数計測システム。
【請求項６】
前記複数のイベント会場の各々に設けられたトリガー信号発信手段のうち、相互に近接して設けられているトリガー信号発信手段はトリガー信号の発信時間が重複しないよう制御される、請求項２に記載の入場者数計測システム。
【請求項７】
入場者の各々に所持され、固有番号を有し、トリガー信号に応答するＩＤタグと、
複数のイベント会場の各々に設けられ、前記トリガー信号を発信するトリガー信号発信手段を有する入場者管理装置とを含み、
前記トリガー信号は前記イベント会場を特定するイベント会場特定番号を含み、
前記ＩＤタグは前記イベント会場特定番号を受信する特定番号受信手段とを含む、入場者数計測システム。
【発明の詳細な説明】
【０００１】
【発明の属する技術分野】
この発明は複数の展示ブース等を備えた展示会場等において、入場者の流動状態を把握するための入場者数計測システムに関し、特に各ブースへの入場者数を正確に知ることができる入場者数計測システムに関する。
【０００２】
【従来の技術】
この発明に興味のある来場者管理システムがたとえば下記特許文献１に開示されている。同特許文献によれば、予め来場予定者にバーコードの印字されたはがきを送付し、それを持参した来場者に対して受付にて来場の登録を行い、携帯自在に配置された無線式バーコードリーダを使用して来場者のバーコードを読み取り、位置データと関連つけて来場者の管理を行っている。
【０００３】
【特許文献１】
特開２００１−２４３５１６
【０００４】
【発明が解決しようとする課題】
従来の入場者管理システムは上記のように構成されていた。従来の方法では、予めバーコードの印刷された識別票を準備する必要があるとともに、入場者はバーコードリーダを各ブース等の個々の展示場で、バーコードリーダに入場者が識別票を読み込ませる必要があった。そのため、事前手続きが必要であるとともに、入場者が煩雑な処理を行う必要があり、入場者の協力がないと正確な情報が得られないという問題があった。
【０００５】
この発明は上記のような問題点を解消するためになされたもので、入場者に煩雑な処理を要求することなく正確な入場者情報が得られる入場者数計測システムを提供する事を目的とする。
【０００６】
【課題を解決するための手段】
この発明にかかる入場者数計測システムは、入場者の各々に所持され、固有番号を有し、トリガー信号に応答するＩＤタグと、複数のイベント会場の各々に設けられ、トリガー信号を発信するトリガー信号発信手段を有する入場者管理装置とを含み、ＩＤタグおよび入場者管理装置は、ＩＤタグがトリガー信号に応答してＩＤタグの固有番号を出力するか、または、入場者管理装置がトリガー信号とともに入場者管理装置を特定する固有番号を出力し、ＩＤタグがトリガー信号に応答してＩＤタグの固有番号を出力したときは、入場者管理装置が固有番号を受信し、入場者管理装置がトリガー信号とともに入場者管理装置の固有番号を出力した時は、ＩＤタグが入場者管理装置の固有番号を受信する。
【０００７】
ＩＤタグがトリガー信号に応答して固有番号を出力するか、または、入場者管理装置がトリガー信号とともに入場者管理装置の固有番号を出力し、ＩＤタグが固有の識別番号を出力したときは、入場者管理装置がＩＤタグの固有番号を記憶し、トリガー信号とともに各入場者管理装置の固有番号を出力した時は、ＩＤタグが、入場者管理装置の固有番号を記憶するため、ＩＤタグまたは入場者管理装置のいずれかが相手の固有データを記憶するだけで、入場者の管理が可能になる。
【０００８】
その結果、簡単な構成で且つ、入場者に煩雑な処理を要求することなく正確な入場者情報が得られる入場者数計測システムを提供できる。
【０００９】
ここで、入場者管理装置の固有番号は各イベント会場を特定する番号や展示会場のブースを特定する番号でも良い。
【００１０】
この発明の他の局面においては、入場者数計測システムは、入場者の各々に所持され、トリガー信号に応答して固有の識別番号を出力する固有番号出力手段と、複数のイベント会場の各々に設けられ、トリガー信号を発信するトリガー信号発信手段と、トリガー信号に応答して固有番号出力手段が出力した固有番号を受信する固有番号受信手段とを含む。
【００１１】
入場者が固有番号出力手段を有して、イベント会場へ近づくだけで自動的に各入場者からトリガー信号に応答して出力された固有番号を複数のイベント会場の各々で受信するため、各イベント会場にどの入場者が訪れたかを正確に計測できる。その結果、入場者に煩雑な処理を要求することなく正確な入場者情報が得られる入場者数計測システムを提供できる。
【００１２】
入場者数計測システムは固有番号を管理コンピュータに送信してもよいし、固有番号受信手段の受信した固有番号を記憶してもよい。
【００１３】
固有番号を記憶した場合は、イベント終了後等に管理コンピュータで集計が可能になる。固有番号を管理コンピュータに送信した場合は、管理コンピュータにてリアルタイムで入場者の管理が可能になる。
【００１４】
好ましくは、固有番号受信手段は固有番号を受信した時間を測定する受信時間測定手段と、受信時間測定手段の測定した時間が所定の時間より長いか否かを判断する判断手段と、前記判断手段が所定の時間より長いと判断したとき、前記固有番号の受信を認識する固有番号受信認識手段とを含む。
【００１５】
固有番号を受信した時間が所定の時間より長いときに固有番号の受信を認識するため、入場者が単にブースを通過した等の場合には入場者数と認識されない。その結果、正確な入場者情報を得ることができる。
【００１６】
さらに好ましくは、固有番号受信手段は固有番号受信認識手段の認識した固有番号の連続受信時間を記憶する手段を含む。
【００１７】
固有番号の連続受信時間を記憶するため、入場者ごとの各ブースでの滞在時間を知ることができる。その結果、どの入場者がどのブースにどの程度興味があったかという情報を得ることができる。
【００１８】
さらに好ましくは、固有番号受信手段は固有番号受信認識手段の認識した固有番号の受信回数を記憶する手段を含む。
【００１９】
固有番号受信認識手段の認識した固有番号の受信回数を記憶するため、入場者ごとの各ブースへの訪問回数を知ることができる。その結果、どの入場者がどのブースにどの程度興味があったかという情報を得ることができる。
【００２０】
さらに好ましくは、複数のイベント会場の各々に設けられたトリガー信号発信手段のうち、相互に近接して設けられているトリガー信号発信手段はトリガー信号の発信時間が重複しないよう制御される。
【００２１】
相互に近接して設けられているトリガー信号発信手段のトリガー信号の発信時間が重複しないよう制御されるため、他ブースの入場者を自ブースの入場者と誤って認識することが無い。
【００２２】
なお、トリガー信号発信手段と固有番号受信手段はイベント会場の入口部の入場者の足元に設置されてもよい。トリガー信号の発信アンテナと固有番号ＩＤ受信アンテナをイベント会場の入口部の足元に置かれるため、入場者の通行の邪魔にならない。
【００２３】
さらに好ましくは、トリガー信号発信手段は所定の周波数のトリガー信号を発信し、複数のイベント会場のうちの隣接する会場におけるトリガー信号発信手段の発信周波数は相互に異なる。
【００２４】
隣接する会場におけるトリガー信号発信手段の発信周波数を相互に異ならせることによって、隣接する会場における固有番号の誤った受信を避けることができ、データの信頼性を高めることができる。
【００２５】
この発明の他の局面によれば、入場者数計測システムは、入場者の各々に所持され、固有番号を有し、トリガー信号に応答するＩＤタグと、複数のイベント会場の各々に設けられ、トリガー信号を発信するトリガー信号発信手段を有する入場者管理装置とを含み、トリガー信号はイベント会場を特定するイベント会場特定番号を含み、ＩＤタグはイベント会場特定番号を受信する特定番号受信手段とを含む。
【００２６】
【発明の実施の形態】
以下この発明の実施の形態を図面を参照して説明する。図１は、この発明が適用される見本市会場のような複数の展示ブース等（イベント会場ともいう）を備えた展示会場を上方から見た場合の模式図である。図１を参照して、展示会場にはブース１からブース１０の１０のブースが設けられている。ブースの各々には入場者管理装置１０が設けられている。入場者管理装置１０は、後に説明するトリガー信号を発信するトリガー信号発信アンテナ１２とトリガー信号に応答して入場者から発信されるＩＤ番号を受信するＩＤ受信アンテナ１３等が設けられている。このブース１〜ブース１０に入場者が後に説明するＩＤタグ３０を保持して入場してくる。
【００２７】
ここで、まず、展示会場における入場者の手続きについて説明する。入場者は展示会場に来ると、まず受付５０において受付処理を行う。入場者はここで、自己の住所、氏名等の登録を行う。ここで入力された情報は後で説明する管理コンピュータ２０に入力される。
【００２８】
受付処理終了後、入場者は受付５０から入場者固有の番号を有するＩＤタグ３０を受け取る。このＩＤタグ３０は所定のトリガー信号を受けると、それに応答して固有の識別（ＩＤ）番号を発信する。入場者はこのＩＤタグ３０を保持して各ブースへ行く。
【００２９】
次に入場者管理装置１０について説明する。図２は入場者管理装置１０の構成を示すブロック図である。図２を参照して、入場者管理装置１０は所定のトリガー信号を発信するトリガー信号発信部１１と、トリガー信号発信部１１に接続され、トリガー信号を外部に向けて発信するするトリガー信号発信アンテナ１２と、ＩＤタグ３０からのＩＤ信号を受信するＩＤ受信アンテナ１３、とＩＤ受信アンテナ１３に接続されたＩＤ受信部１４と、管理コンピュータ２０とデータの交信を行うデータ送受信部１５と、入場者管理装置１０全体を制御する制御部１６と、トリガー信号発信部１１およびＩＤ受信部１４の発信ならびに受信条件等を記憶するメモリ１７とを含む。
【００３０】
トリガー信号発信部１１はトリガー信号発信アンテナ１２からトリガー信号を発信する。ＩＤタグ３０はこのトリガー信号を受信して固有のＩＤ番号を出力する。ＩＤ受信アンテナ１３はこのＩＤ番号を受信して、データ送受信部１５を介して管理コンピュータ２０へ送信する。なお、メモリ１７に受信データを記憶しておいてまとめて出力するようにしてもよい。
【００３１】
次にＩＤタグ３０について説明する。図３はＩＤタグ３０の構成を示すブロック図である。図３を参照して、ＩＤタグ３０は、受信用アンテナ４０とトリガー信号検知部４１と、電池４９と、スィッチ４２と固有番号としてのＩＤ番号を発生するＩＤ番号発生部４３とを含む。ＩＤ番号発生部４３はアドレス計数部４５と、ＩＤ番号記憶部４６と、発振器４７と、出力回路４８とから構成される。
【００３２】
受信用アンテナ４０は入場者管理装置１０に設けられたトリガー信号発信部１１からのトリガー信号を受信するようになっており、トリガー信号検知部４１は、受信用アンテナ４０で受信された信号がトリガー信号であると認識したときにスイッチ４２をＯＮするようになっている。このように、スイッチ４２がＯＮされると、ＩＤ番号発生部４３に電源が供給されてこのＩＤ番号発生部４３からそのＩＤタグ３０に対応するＩＤ番号が送信用アンテナ４４を介して出力される。このように出力されたＩＤタグ３０の番号は発振器４７によって高周波信号に変換されて出力回路４８を介して送信用アンテナ４４から送信される。
【００３３】
ここでＩＤタグ３０に設けられた発振器４７からはＩＤタグ３０の番号に対応する７桁の識別番号が間断なくトリガー信号発信部１１近傍の領域で発信し続けられる。
【００３４】
ＩＤタグ３０の具体的な仕様の一例を図４（Ａ）に入場者管理装置１０の具体的な仕様の一例を図４（Ｂ）に示す。
【００３５】
次に、管理コンピュータに２０ついて図５を参照して説明する。図５（Ａ）は管理コンピュータ２０と入場者管理装置１０との接続状態を示す図であり、図５（Ｂ）は管理コンピュータ２０の構成を示すブロック図である。図５（Ａ）に示すように、この実施の形態にかかる入場者数計測システムにおいては、各ブースに配置された入場者管理装置１０はそれぞれが管理コンピュータ２０にＬＡＮ等を用いて接続されている。管理コンピュータ２０では各ブースからの情報を収集することにより、リアルタイムで入場者の動きを把握できる。なお、このデータ収集は、必ずしもリアルタイムでする必要はなく、１日１回とか、展示会終了後等にまとめて行ってもよい。
【００３６】
次に、図５（Ｂ）を参照して、管理コンピュータの構成について説明する。管理コンピュータ２０は入場者管理装置１０とデータの送受信をする送受信部２１と、入場者の受付データを記録する入場者管理部２２と、各入場者管理装置１０の作動条件を設定する条件設定部２３と、各入場者管理装置１０からのデータを記憶するデータ記憶部２４とを含む。
【００３７】
見本市会場等においては、各ブースが隣接して同じトリガー信号を発信すると、入場者のＩＤ番号が自分のブースのものか、他のブースのものか不明となる場合が存在しうる。そこで、ここでは、隣接するブースのトリガー信号の出力を同期を取ってオフさせる。また、同期を取ることなく、トリガー信号の出力タイミングをたとえば１０−２０秒ごとに０．５秒間出力するといったように各ブースの入場者管理装置１０のトリガー信号発信部１１の発信条件を予め設定する。
【００３８】
また、各入場者管理装置１０のＩＤ受信部１４は一定時間以上ＩＤ番号を受信したときのみにそのＩＤ番号を管理コンピュータ２０に出力する必要がある。これは、単にブースを通過した人等が誤って計測されることがないようにするためである。この一定時間についても予め設定しておくのが好ましい。したがって、この実施の形態においては、これらの条件を条件設定部２３に予め登録しておく。
【００３９】
なお、各ブースの入場者管理装置１０からのトリガー信号発信部１１のトリガー信号の発信周波数を変更してもよい。このデータも予め条件設定部２３に記憶しておいてもよい。
【００４０】
次に、管理コンピュータ２０の動作について図６を参照して説明する。図６を参照して、管理コンピュータ２０はまず各入場者管理装置１０におけるトリガー信号発信部１１およびＩＤ受信部１４の発信および受信条件を設定するこれは予めプログラムしておいてもよいし、管理者が管理コンピュータ２０上で設定してもよい。このデータは上記したように条件設定部２３に記憶する。ついで、このデータを各入場者管理装置１０へ送信する（ステップＳ１１、以下ステップを省略する）。
【００４１】
次に、入場者管理装置１０からのデータを受信する（Ｓ１２）。各ブースごとの入場者管理装置１０からのＩＤデータを受信すると、受信データをデータ記録部２４に記録する（Ｓ１３）。あとは見本市等のイベントが終了するまで上記の処理を繰り返す（Ｓ１４）。なお、必要に応じて、途中で各入場者管理装置１０におけるトリガー信号発信部１１およびＩＤ受信部１４の発信および受信条件を変更してもよい。
【００４２】
また、データ記録部への記録としては、ブースごとのＩＤ番号の受信時間を記録してもよい。そうすれば、入場者のそのブースに対する興味の度合いも知ることができる。これによって、どのブースにどの入場者が来たかを確実に知ることができる。また、ＩＤ番号の受信時間を記録しておけば入場者の各ブースへの来場時間も記録できる。
【００４３】
次に、入場者管理装置１０の具体的な動作について説明する。図７は入場者管理装置の動作を示すフローチャートである。図１および図７を参照して、入場者がＩＤタグ３０を保持してブース１の展示を見にきた場合について説明する。
【００４４】
まず、入場者管理装置１０は予め管理コンピュータ２０からトリガー信号発信部１１およびＩＤ受信部１４の発信および受信条件を受け、それらを設定する（Ｓ２１、Ｓ２２）。設定後、トリガー信号発信部１１からトリガー信号を発信する（Ｓ２３）。入場者がブース１の入場者管理装置１０の近くに来ると、トリガー信号発信アンテナ１２からのトリガー信号を受けてＩＤタグ３０からＩＤ番号が出力される。ＩＤ受信アンテナ１３はこれを受けて（Ｓ２４でＹＥＳ）、データ送受信部１５から入場者管理装置１０の特定情報とともに、その入場者のＩＤ番号、入場時間を管理コンピュータ２０へ出力する（Ｓ２５）。
【００４５】
なお、このときに、ＩＤ番号や入場時間だけでなく、その他の必要な情報を出力してもよい。
【００４６】
次に入場者管理装置１０のトリガー信号発信アンテナ１２とＩＤ受信アンテナ１３の具体的な構成例について説明する。図８はトリガー信号発信アンテナ１２とＩＤ受信アンテナ１３の具体的な構成例を示す図である。図においてはトリガー信号発信アンテナ１２とＩＤ受信アンテナ１３とは一体化されている。図８（Ａ）ではブースを構成するパネルの一面に沿って一体化されたアンテナを設けた場合を示す図である。パネルそのものをアンテナとしてもよいし、各ブースの机の上などに縦型の卓上型として設置してもよい。
【００４７】
図８（Ｂ）はブースの入口部等の足元に一体化されたアンテナを設けた場合を示す図である。このようにアンテナとしては任意の形状を選択できる。また、トリガー信号発信アンテナを（Ａ）の形状に、ＩＤ受信アンテナを（Ｂ）に示す形状にしてもよい。また、この場合においても、上記したように、入場者管理装置１０との接続はＬＡＮ（リアルタイムのデータ送信）で行ってもよいし、イベント終了後に入場者管理装置１０を回収してデータの収集を行ってもよい。
【００４８】
なお、入場者管理装置１０をネットワーク接続しない場合は入場者管理装置１０を電池で駆動するようにしてもよい。この場合の各入場者管理装置１０間のそれぞれの同期は外部スイッチを設けて対応するのが好ましい。このようにすれば、多数のブースに簡単に入場者管理装置１０を設置でき、またデータの回収を簡単に行うことができる。
【００４９】
上記実施の形態においては、入場者のＩＤ、来所時間、来所回数等を管理コンピュータ２０で記録するようにしたが、これに限らず、入場者管理装置１０側でこれらのデータを記録してもよい。
【００５０】
上記実施の形態においては、管理コンピュータ２０でトリガー信号発信部１１の発信条件やＩＤ受信部１４のＩＤ受信条件を設定したが、これに限らず、入場者管理装置１０において設定するようにしてもよい。
【００５１】
さらに、上記実施の形態においては、各ブースの入場者管理装置１０のトリガー信号発信部１１の発信条件を予め設定したが、これに限らず、ブース間距離が長い場合や、トリガー信号の出力を調整することにより、トリガー信号の発信条件を固定しておいてもよい。
【００５２】
次にこの発明の他の実施の形態について説明する。上記実施の形態では、入場者管理装置１０でトリガー信号の発信およびＩＤタグ３０からのＩＤ番号の受信および記録を行ったが、この実施の形態では、各ブースに設けられた入場者管理装置１０はトリガー信号に自ブースのブース番号を特定する番号（固有番号）と時刻をのせて発信し、発信し、ＩＤタグが各ブースの番号と時刻を受信し、それを記録する。なお、この特定するための番号は、入場者管理装置自身を特定する番号であっても良い。
【００５３】
図９はこの実施の形態における図１に対応する図である。図９を参照して、展示会場にはブース１からブース１０の１０のブースが設けられており、ブースの各々には入場者管理装置６０が設けられている。入場者管理装置６０は、上記したようにブース番号および時刻を載せたトリガー信号を発信する。このブース１〜ブース１０に入場者がＩＤタグ７０を保持して入場してくる。
【００５４】
なお、展示会場における入場者の手続きは先の実施の形態と同じであり、入場者はこのＩＤタグ７０を保持して各ブースへ行く。
【００５５】
次に入場者管理装置６０について説明する。図１０は入場者管理装置６０の構成を示すブロック図である。図１０を参照して、入場者管理装置６０は所定のトリガー信号を発信するトリガー信号発信部６１と、トリガー信号発信部６１に接続され、トリガー信号を外部に向けて発信するするトリガー信号発信アンテナ６２と、入場者管理装置６０全体を制御する制御部６３と、トリガー信号発信部６１の発信条件、設置されるブースのブース番号等を記憶するメモリ６４とを含む。
【００５６】
トリガー信号発信部６１はトリガー信号発信アンテナ６２からブース番号および時刻を載せたトリガー信号を発信する。ＩＤタグ７０はこのトリガー信号に載せられたブース番号および時刻を受信して記録する。
【００５７】
次にこのＩＤタグ７０について説明する。図１１はＩＤタグ７０の構成を示すブロック図である。図１１を参照して、ＩＤタグ７０は、受信用アンテナ７１とトリガー信号検知部７２と、電池７３と、スィッチ７４と、入場者管理装置６０からの受信データを記憶する、受信データ記憶部７５と、ＩＤタグのＩＤ番号を記憶するＩＤ番号記憶部７６とから構成される。
【００５８】
受信用アンテナ７１は入場者管理装置６０に設けられたトリガー信号発信部６１からのトリガー信号を受信するようになっており、トリガー信号検知部７２は、受信用アンテナ７１で受信された信号がトリガー信号であると認識したときにスイッチ７４をＯＮするようになっている。スイッチ７４がＯＮされると、受信データ記憶部７５に電源が供給されて、受信データが受信データ記憶部７５に格納される。
【００５９】
なお、ＩＤタグ７０の具体的な仕様は基本的に先の実施の形態の場合と同じである。
【００６０】
次に、ＩＤタグ７０の動作について説明する。図１２はＩＤタグ７０の動作を示すフローチャートである。図１２を参照して、まず、トリガー信号を受信したか否かを判断する（Ｓ３１）。トリガー信号を受信すれば（Ｓ３１でＹＥＳ）、トリガー信号とともに送信されてくるブースからのデータを受信し（Ｓ３２）、ブース番号および受信時刻を受信データ記憶部７５に格納する（Ｓ３３）。来場者がブースへ行くごとにこの処理を繰り返す。
【００６１】
なお、この時に、一定時間以上トリガー信号を受けたときのみにデータを格納したほうが好ましいのは、先の実施の形態と同じである。
【００６２】
次に、この実施の形態における、処理手順について図１３を参照して説明する。図１３を参照して、受付５０における入場処理（Ｓ４１）において入場者にＩＤタグ７０を渡す（Ｓ４２）。展示場のブースで入場者管理装置６０のトリガー発信部からのブース番号と時刻データとをＩＤタグ７０で受信する（Ｓ４３）。入場者が退場するときにＩＤタグ７０を回収する（Ｓ４４）。回収したＩＤタグ７０のチェックを行い（Ｓ４５）、退場処理をおこなう（Ｓ４６）。
【００６３】
ここで、ＩＤタグのチェックとは、ＩＤタグ７０が未回収か否かを判断するため、所定の退場口（受付でも良い）で入場者（ＩＤタグ７０）にトリガー信号を送り、その応答が有るか否かを判断することをいう。
【００６４】
また、退場処理とは、回収したＩＤタグ７０からＩＤタグ７０ごとに、そこに記憶されたブース番号、時刻データをＩＤ受信機で読取り、読取ったデータを管理コンピュータ２０に転送してブース別に集計処理をすることを言う。
【００６５】
なお、管理コンピュータ２０の機能は基本的に先の実施の形態の場合と同じである。
【００６６】
次にＩＤ受信機について図１４を参照して説明する。図１４を参照して、ＩＤ受信機８０は、先の実施の形態における入場者管理装置１０と同様のもので、所定のデータ回収トリガー信号を発信するトリガー信号発信部８１と、トリガー信号発信部８１に接続され、データ回収トリガー信号を外部に向けて発信するするトリガー信号発信アンテナ８２と、ＩＤタグ７０からのＩＤ信号および受信データ記憶部７５に記憶されたブース番号および時刻を受信するデータ受信アンテナ８３、とデータ受信アンテナ８３に接続されたデータ受信部８４と、管理コンピュータ２０とデータの交信を行うデータ送受信部８５と、ＩＤ受信機８０全体を制御する制御部８６と、受信したデータを記憶するメモリ８７とを含む。
【００６７】
トリガー信号発信部８１はトリガー信号発信アンテナ８２からトリガー信号を発信する。ＩＤタグ７０はこのトリガー信号を受信して固有のＩＤ番号および記憶したブース番号等のデータを出力する。データ受信アンテナ８３はこのＩＤ番号等を受信して、データ送受信部８５を介して管理コンピュータ２０へ送信する。なお、メモリ８７に受信データを記憶しておいてまとめて出力するようにしてもよい。
【００６８】
なお、図２に示した先の実施の形態の入場者管理装置１０に図示のない切換えスイッチを設け、それによって入場者管理装置１０とＩＤ受信機８０とを切換えて使用できるようにしても良い。基本的構成が同じであるため、このように使用しても特に問題はない。
【００６９】
上記実施の形態においては入場者管理装置を見本市等のブースに設けた場合について説明したが、これに限らず、この入場者管理装置等を利用して百貨店、スーパーなどの流動調査などに利用してもよい。特に百貨店等に設けた場合は購買者がどのように百貨店内を移動しているのかを簡単に解明できる。具体的には、各販売コーナーに卓上型等の入場者管理装置を設け、地下鉄の流動調査と同じように百貨店等の出入り口でＩＤタグを手渡し、出店時に回収すればよい。データ収集や解析等は上記と同様に行う。
【００７０】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【００７１】
そのような変形例としては、次のものが挙げられる。
【００７２】
１．　複数のブースが設けられたイベント会場において、各ブースの入場者数を計数する方法であって、
予め管理コンピュータにおいて、入場者とその固有番号とを関連つけるステップを含み、
前記入場者は、前記関連つけられた固有番号をトリガー信号に応答して出力する固有番号出力タグを保持して、前記各ブースを見学し、
前記管理コンピュータによって管理される、前記複数のブースの各々において、トリガー信号を発信するステップと、
前記トリガー信号に応答して前記固有番号出力タグが出力した固有番号を前記イベント会場の各々で受信するステップと、
受信した固有番号と各ブースを特定するデータを前記管理コンピュータへ送信するステップとを含む、入場者計測方法。
【００７３】
２．　前記トリガー信号発信手段と前記固有番号受信手段は前記イベント会場の入口部の入場者の足元に設置される、請求項１に記載の入場者数計測システム。
【００７４】
３．　前記トリガー信号発信手段は所定の周波数のトリガー信号を発信し、前記複数のイベント会場のうちの隣接する会場における前記トリガー信号発信手段の発信周波数は相互に異なる、請求項１に記載の入場者数計測システム。
【００７５】
４．　入場者の各々に所持され、トリガー信号に応答して固有の識別番号を出力する固有番号出力タグからの固有番号を表す信号を受ける入場者管理装置であって、
前記入場者管理装置は複数の展示会場の各々に設けられ、
前記トリガー信号を発信するトリガー信号発信手段と、
前記トリガー信号に応答して前記固有番号出力手段が出力した固有番号を受信する固有番号受信手段と、
前記固有番号受信手段の受信した固有番号を所定の管理装置に送信する手段とを含む、入場者管理装置。
【００７６】
５．　入場者の各々に所持され、トリガー信号に応答して固有の識別番号を出力する固有番号出力手段と、
百貨店の販売コーナに設けられ、
前記トリガー信号を発信するトリガー信号発信手段と、
前記トリガー信号に応答して前記固有番号出力手段が出力した固有番号を受信する固有番号受信手段と、
を含む、百貨店における流動計測システム。
【００７７】
６．　複数のブースが設けられたイベント会場において、各ブースの入場者数を計数する方法であって、
予め管理コンピュータにおいて、入場者とその固有番号とを関連つけるステップを含み、
前記入場者は、前記関連つけられた固有番号を有する固有番号タグを保持して前記各ブースを訪問し、
前記複数のブースの各々において、前記各ブースを特定するブース特定番号をのせてトリガー信号を発信するステップと、
前記固有番号タグにおいて、前記トリガー信号に応答して前記ブース特定番号を受信するステップを含み、
前記入場者が前記イベント会場から退場するときに、前記固有番号タグを回収するステップと、
前記回収された固有番号タグから記憶された前記ブース特定番号を収集するステップとを含む、入場者計測方法。
【００７８】
７．入場者の各々に所持され、トリガー信号に応答して固有の識別番号を出力するＩＤタグを用いた入場者計測システムに用いられる入場者管理装置であって、
前記入場者管理装置は、複数のイベント会場の各々に設けられ、
前記トリガー信号を発信するトリガー信号発信手段と、
前記トリガー信号に応答して前記ＩＤタグが出力した固有番号を受信する固有番号受信手段とを含む、入場者数管理装置。
【００７９】
８．入場者の各々に所持され、固有番号を有し、トリガー信号に応答するＩＤタグを用いた入場者数計測システムに用いられる入場者管理装置であって、
前記入場者管理装置は複数のイベント会場の各々に設けられ、
前記トリガー信号を発信するトリガー信号発信手段を有し、前記トリガー信号は前記イベント会場を特定するイベント会場特定番号を含み、
前記イベント会場特定番号を有するトリガー信号は、前記ＩＤタグによって受信される、入場者管理装置。
【図面の簡単な説明】
【図１】この発明が適用される展示ブースを有する見本市会場を上方からみた模式図である。
【図２】入場者管理装置の構成を示すブロック図である。
【図３】ＩＤタグの構成を示すブロック図である。
【図４】ＩＤタグおよび入場者管理装置の仕様の一例を示す図である。
【図５】管理コンピュータを示す図である。
【図６】管理コンピュータの処理内容を示すフローチャートである。
【図７】入場者管理装置の処理内容を示すフローチャートである。
【図８】トリガー信号発信アンテナおよびＩＤ受信アンテナの具体的構成の一例を示す図ある。
【図９】この発明が適用される展示ブースを有する見本市会場を上方からみた模式図である。
【図１０】他の実施の形態における入場者管理装置の構成を示すブロック図である。
【図１１】他の実施の形態におけるＩＤタグの構成を示すブロック図である。
【図１２】ＩＤタグの処理内容を示すフローチャートである。
【図１３】他の実施の形態における処理手順を示すフローチャートである。
【図１４】ＩＤ受信機の構成を示すブロック図である。
【符号の説明】
１０、６０　入場者管理装置、１１　トリガー信号発信部、１２　トリガー信号発信アンテナ、１３　ＩＤ受信アンテナ、１４　ＩＤ受信部、１５　データ送受信部、２０　管理コンピュータ、３０、７０　ＩＤタグ、５０　受付、８０　ＩＤ受信機。
【図１】
2004094891.tif 000003
【図２】
2004094891.tif 000004
【図３】
2004094891.tif 000005
【図４】
2004094891.tif 000006
【図５】
2004094891.tif 000007
【図６】
2004094891.tif 000008
【図７】
2004094891.tif 000009
【図８】
2004094891.tif 000010
【図９】
2004094891.tif 000011
【図１０】
2004094891.tif 000012
【図１１】
2004094891.tif 000013
【図１２】
2004094891.tif 000014
【図１３】
2004094891.tif 000015
【図１４】
2004094891.tif 000016